(57)【要約】【課題】本発明は電極パッドを含むプラズマディスプレイ装置を提供する。【解決手段】本発明に係るプラズマディスプレイ装置及びプラズマディスプレイ装置の駆動方法はスキャン電極を含むプラズマディスプレイパネル及び第１勾配で第１電圧レベルまで漸進的に上昇して、前記第１勾配より小さな第２勾配で前記第１電圧レベルから第２電圧レベルまで上昇して、前記第２勾配と異なる第３勾配で前記第２電圧レベルから第３電圧レベルまで上昇するセットアップパルスを前記スキャン電極に供給するスキャン駆動部を含む。【選択図】図４Ｂ
2008026906.tif 000002
【特許請求の範囲】
【請求項１】
スキャン電極を含むプラズマディスプレイパネルと、
第１勾配で第１電圧レベルまで漸進的に上昇し、前記第１勾配より小さな第２勾配で前記第１電圧レベルから第２電圧レベルまで上昇し、前記第２勾配と異なる第３勾配で前記第２電圧レベルから第３電圧レベルまで上昇するセットアップパルスを、前記スキャン電極に供給するスキャン駆動部と、
を含むプラズマディスプレイ装置。
【請求項２】
前記スキャン駆動部は、
前記スキャン電極にサステイン電圧を供給する電圧部、前記第１電圧レベルの電圧を供給する第１電圧供給部及び前記第１電圧レベルの電圧及び前記サステイン電圧を供給受けて前記第１勾配、前記第２勾配及び前記第３勾配を有する前記セットアップパルスを前記スキャン電極に供給するセットアップ勾配制御部と、
を含むことを特徴とする、請求項１記載のプラズマディスプレイ装置。
【請求項３】
前記セットアップ勾配制御部は、
お互いに並列に接続される第１スイッチ及び第２スイッチ、前記第１スイッチに接続される第１可変抵抗、前記第２スイッチに接続される第２可変抵抗及び前記セットアップ電圧供給部と前記電圧部と接続されるキャパシターを含み、
前記第１可変抵抗の大きさは前記第２可変抵抗の大きさと異なることを特徴とする、請求項２記載のプラズマディスプレイ装置。
【請求項４】
前記第１スイッチ及び前記第２スイッチがターンオンされることで前記第１勾配が形成され、
前記第１スイッチがターンオン状態を維持し、前記第２スイッチがターンオフされることで前記第２勾配が形成され、
前記第１スイッチがターンオフされ、前記第２スイッチがターンオンされることで前記第３勾配が形成されることを特徴とする、請求項３記載のプラズマディスプレイ装置。
【請求項５】
前記セットアップ勾配制御部は、
前記電圧部と接続される第１スイッチと前記第１スイッチに接続される第１可変抵抗と前記第１電圧レベルの電圧を供給受ける第２スイッチと前記第２スイッチに接続される第２可変抵抗と、
前記第２スイッチの一方端と前記電圧部と接続されるキャパシターを含み、
前記第１可変抵抗の大きさと前記第２可変抵抗の大きさは異なることを特徴とする、請求項２記載のプラズマディスプレイ装置。
【請求項６】
前記第１スイッチ及び前記第２スイッチがターンオンされることで前記第１勾配が形成され、
前記第１スイッチがターンオン状態を維持し、前記第２スイッチがターンオフされることで前記第２勾配を形成され、
前記第１スイッチがターンオフされ、前記第２スイッチがターンオンされることで前記第３勾配が形成されることを特徴とする、請求項５記載のプラズマディスプレイ装置。
【請求項７】
前記スキャン駆動部は、
前記セットアップパルスの供給後、複数の勾配を有するセットダウンパルスを前記スキャン電極に供給することを特徴とする、請求項１記載のプラズマディスプレイ装置。
【請求項８】
スキャン電極を含むプラズマディスプレイパネルと、
第４勾配に第４電圧レベルまで漸進的に立ち下がり、
前記第４勾配の大きさより小さな第５勾配に前記第４電圧レベルから第５電圧レベルまで立ち下がり、
前記第５勾配と異なる第６勾配に前記第５電圧レベルから第６電圧レベルまで立ち下がるセットダウンパルスを供給するスキャン駆動部と、
を含むプラズマディスプレイ装置。
【請求項９】
前記スキャン駆動部は、
スキャン電圧を供給する第２電圧供給部と、前記第２電圧供給部から前記スキャン電圧を供給受けて前記第４勾配と前記第５勾配及び前記第６勾配を有するセットダウンパルスを前記スキャン電極に供給するセットダウン勾配制御部と、
を含むことを特徴とする、請求項８記載のプラズマディスプレイ装置。
【請求項１０】
前記セットダウン勾配制御部は、
前記第２電圧供給部と接続された第３スイッチ及び第４スイッチ、前記第３スイッチに接続される第３可変抵抗と前記第４スイッチに接続される第４可変抵抗を含み、
前記第３可変抵抗の大きさは前記第４可変抵抗の大きさと異なることを特徴とする、請求項９記載のプラズマディスプレイ装置。
【請求項１１】
前記第３スイッチ及び前記第４スイッチがターンオンされることで前記第４勾配が形成され、
前記第３スイッチがターンオン状態を維持し、前記第４スイッチがターンオフされることで前記第５勾配が形成され、
前記第３スイッチがターンオフされ、前記第４スイッチがターンオンされることで前記第６勾配が形成されることを特徴とする、請求項１０記載のプラズマディスプレイ装置。
【請求項１２】
前記セットダウン勾配制御部は、
基底電圧供給部と接続される第３スイッチ、前記第３スイッチに接続される第３可変抵抗、前記第２電圧供給部に接続される第４スイッチ、及び前記第４スイッチに接続される第４可変抵抗を含み、
前記第３可変抵抗の大きさは前記第４可変抵抗の大きさと異なることを特徴とする、請求項９記載のプラズマディスプレイ装置。
【請求項１３】
前記第３スイッチ及び前記第４スイッチがターンオンされることで前記第４勾配が形成され、
前記第３スイッチがターンオン状態を維持し、前記第４スイッチがターンオフされることで前記第５勾配を形成して、
前記第３スイッチがターンオフされ、前記第４スイッチがターンオンされることで前記第６勾配が形成されることを特徴とする、請求項１２記載のプラズマディスプレイ装置。
【請求項１４】
前記プラズマディスプレイパネルはサステイン電極をさらに含み、
前記スキャン駆動部は、
前記第４電圧レベルを維持して前記第６勾配で立ち下がるセットダウンパルスを供給して、
前記サステイン駆動部は、
前記第４電圧レベルが維持される期間の間に正極性バイアス電圧を前記サステイン電極に供給することを特徴とする、請求項８記載のプラズマディスプレイ装置。
【請求項１５】
前記第６勾配の大きさは前記第４勾配の大きさより小さいことを特徴とする、請求項１４記載のプラズマディスプレイ装置。
【請求項１６】
前記正極性バイアス電圧レベルはサステイン電圧レベルと実質的に同じであることを特徴とする、請求項１４記載のプラズマディスプレイ装置。
【請求項１７】
前記正極性バイアス電圧レベルはサステイン電圧レベルより小さいことを特徴とする、請求項１４記載のプラズマディスプレイ装置。
【請求項１８】
スキャン電極を含むプラズマディスプレイ装置の駆動方法において、
前記スキャン電極の電圧レベルを第１勾配で第１電圧レベルまで漸進的に上昇させる段階と、
前記スキャン電極の電圧レベルを前記第１勾配より小さな第２勾配で前記第１電圧レベルから第２電圧レベルまで上昇させる段階と、
前記スキャン電極の電圧レベルを前記第２勾配と異なる第３勾配で前記第２電圧レベルから第３電圧レベルまで上昇させる段階と、
を含むプラズマディスプレイ装置の駆動方法。
【請求項１９】
前記スキャン電極の電圧レベルを第４勾配で基準電圧から第４電圧レベルまで漸進的に立ち下がらせる段階と、
前記スキャン電極の電圧レベルを前記第４勾配の大きさより小さい第５勾配で前記第４電圧レベルから第５電圧レベルまで立ち下がらせる段階と、
前記スキャン電極の電圧レベルを前記第５勾配と異なる第６勾配で前記第５電圧レベルから前記第６電圧レベルまで立ち下がらせる段階をさらに含むことを特徴とする、請求項１８記載のプラズマディスプレイ装置の駆動方法。
【請求項２０】
前記プラズマディスプレイ装置はサステイン電極をさらに含み、
前記スキャン電極の電圧レベルは、前記第４電圧レベルが維持された後、前記第６勾配で立ち下がり、
前記第４電圧レベルが維持される期間の間に正極性バイアス電圧が前記サステイン電極に供給されることを特徴とする、請求項１９記載のプラズマディスプレイ装置の駆動方法。
【発明の詳細な説明】
【技術分野】
【０００１】
本発明はプラズマディスプレイ装置及びプラズマディスプレイ装置の駆動方法に関する。
【背景技術】
【０００２】
プラズマディスプレイ装置は画像を表示するプラズマディスプレイパネルとプラズマディスプレイパネルを駆動させるための駆動部を含む。
【０００３】
プラズマディスプレイパネルの前面パネルと背面パネルの間に形成された隔壁は放電セルを区切っており、放電セル内にはネオン（Ｎｅ）、ヘリウム（Ｈｅ）またはネオン及びヘリウムの混合気体（Ｎｅ＋Ｈｅ）のような主放電気体と少量のキセノンを含む不活性ガスが充填される。
【０００４】
放電セルに高周波電圧が供給されて放電される時、不活性ガスは真空紫外線（Ｖａｃｕｕｍ Ｕｌｔｒａ Ｖｉｏｌｅｔ ｒａｙｓ）を発生し、隔壁の間に形成された蛍光体を発光させて画像が具現される。
【０００５】
プラズマディスプレイパネルは複数の電極を含み、プラズマディスプレイパネルの電極に駆動電圧を供給するための駆動部がそれぞれの電極に接続される。
【０００６】
各駆動部はリセット期間にアドレス期間とサステイン期間に駆動パルスをプラズマディスプレイパネルの電極に供給して画像を具現する。駆動パルスが各電極に供給される時に正確な放電を発生させることと駆動条件を最適化させることが重要である。
【発明の開示】
【発明が解決しようとする課題】
【０００７】
本発明の目的は、放電の正確度を向上させることができるプラズマディスプレイ装置及びその駆動方法を提供することにある。
【０００８】
本発明の他の目的は、駆動条件を最適化させることができるプラズマディスプレイ装置及びその駆動方法を提供することにある。
【課題を解決するための手段】
【０００９】
本発明のプラズマディスプレイ装置はスキャン電極を含むプラズマディスプレイパネル及び第１勾配で第１電圧レベルまで漸進的に上昇して、前記第１勾配より小さな第２勾配で前記第１電圧レベルから第２電圧レベルまで上昇して、前記第２勾配と異なる第３勾配で前記第２電圧レベルから第３電圧レベルまで上昇するセットアップパルスを前記スキャン電極に供給するスキャン駆動部を含む。
【００１０】
前記スキャン駆動部は前記スキャン電極にサステイン電圧を供給する電圧部、前記第１電圧レベルの電圧を供給する第１電圧供給部及び前記第１電圧レベルの電圧及び前記サステイン電圧を供給受けて前記第１勾配、前記第２勾配及び前記第３勾配を有する前記セットアップパルスを前記スキャン電極に供給するセットアップ勾配制御部を含んでもよい。
【００１１】
前記セットアップ勾配制御部はお互いに並列に接続される第１スイッチ及び第２スイッチ、前記第１スイッチに接続される第１可変抵抗、前記第２スイッチに接続される第２可変抵抗及び前記セットアップ電圧供給部と前記電圧部と接続されるキャパシターを含み、前記第１可変抵抗の大きさは前記第２可変抵抗の大きさと異なるようにしてもよい。
【００１２】
前記第１スイッチ及び前記第２スイッチがターンオンされて前記第１勾配が形成されて、前記第１スイッチがターンオン状態を維持して前記第２スイッチがターンオフされて前記第２勾配を形成して、前記第１スイッチがターンオフされて前記第２スイッチがターンオンされて前記第３勾配が形成されるようにしてもよい。
【００１３】
前記セットアップ勾配制御部は前記電圧部と接続される第１スイッチ、前記第１スイッチに接続される第１可変抵抗、前記第１電圧レベルの電圧を供給受ける第２スイッチ、前記第２スイッチに接続される第２可変抵抗及び前記第２スイッチの一方端及び前記電圧部と接続されるキャパシターを含み、前記第１可変抵抗の大きさと前記第２可変抵抗の大きさは異なるようにしてもよい。
【００１４】
前記第１スイッチ及び前記第２スイッチがターンオンされて前記第１勾配が形成されて、 前記第１スイッチがターンオン状態を維持して前記第２スイッチがターンオフされて前記第２勾配を形成されて、前記第１スイッチがターンオフされて前記第２スイッチがターンオンされて前記第３勾配が形成されるようにしてもよい。
【００１５】
前記スキャン駆動部は前記セットアップパルスの供給後複数の勾配を有するセットダウンパルスを前記スキャン電極に供給するようにしてもよい。
【００１６】
本発明のプラズマディスプレイ装置はスキャン電極を含むプラズマディスプレイパネル及び第４勾配で第４電圧レベルまで漸進的に立ち下がって、前記第４勾配の大きさより小さな第５勾配で前記第４電圧レベルから第５電圧レベルまで立ち下がって、前記第５勾配と異なる第６勾配で前記第５電圧レベルから第６電圧レベルまで立ち下がるセットダウンパルスを供給するスキャン駆動部を含む。
【００１７】
前記スキャン駆動部はスキャン電圧を供給する第２電圧供給部及び前記第２電圧供給部から前記スキャン電圧を供給受けて前記第４勾配、前記第５勾配及び前記第６勾配を有するセットダウンパルスを前記スキャン電極に供給するセットダウン勾配制御部を含むようにしてもよい。
【００１８】
前記セットダウン勾配制御部は前記第２電圧供給部と接続された第３スイッチ及び第４スイッチ、前記第３スイッチに接続される第３可変抵抗、及び前記第４スイッチに接続される第４可変抵抗を含み、前記第３可変抵抗の大きさは前記第４可変抵抗の大きさと異なるようにしてもよい。
【００１９】
前記第３スイッチ及び前記第４スイッチがターンオンされて前記第４勾配が形成されて、 前記第３スイッチがターンオン状態を維持して前記第４スイッチがターンオフされて前記第５勾配を形成して、前記第３スイッチがターンオフされて前記第４スイッチがターンオンされて前記第６勾配が形成されるようにしてもよい。
【００２０】
前記セットダウン勾配制御部は基底電圧供給部と接続される第３スイッチ、前記第３スイッチに接続される第３可変抵抗、 前記第２電圧供給部に接続される第４スイッチ及び前記第４スイッチに接続される第４可変抵抗を含み、前記第３可変抵抗の大きさは前記第４可変抵抗の大きさと異なるようにしてもよい。
【００２１】
前記第３スイッチ及び前記第４スイッチがターンオンされて前記第４勾配が形成されて、 前記第３スイッチがターンオン状態を維持して前記第４スイッチがターンオフされて前記第５勾配を形成して、前記第３スイッチがターンオフされて前記第４スイッチがターンオンされて前記第６勾配が形成されるようにしてもよい。
【００２２】
前記プラズマディスプレイパネルはサステイン電極をさらに含み、前記スキャン駆動部は前記第４電圧レベルを維持して前記第６勾配で立ち下がるセットダウンパルスを供給して、前記サステイン駆動部は前記第４電圧レベルが維持される期間の間に正極性バイアス電圧を前記サステイン電極に供給するようにしてもよい。
【００２３】
前記第６勾配の大きさは前記第４勾配の大きさより小さくしてもよい。
【００２４】
前記正極性バイアス電圧レベルはサステイン電圧レベルと実質的に同じにしてもよい。
【００２５】
前記正極性バイアス電圧レベルはサステイン電圧レベルより小さくしてもよい。
【００２６】
本発明のプラズマディスプレイ装置の駆動方法は前記スキャン電極の電圧レベルを第１勾配で第１電圧レベルまで漸進的に上昇させる段階、前記スキャン電極の電圧レベルを前記第１勾配より小さな第２勾配で前記第１電圧レベルから第２電圧レベルまで上昇させる段階と前記スキャン電極の電圧レベルを前記第２勾配と異なる第３勾配で前記第２電圧レベルから第３電圧レベルまで上昇させる段階を含む。
【００２７】
前記スキャン電極の電圧レベルを第４勾配で基準電圧から第４電圧レベルまで漸進的に立ち下がせる段階、前記スキャン電極の電圧レベルを前記第４勾配の大きさより小さな第５勾配で前記第４電圧レベルから第５電圧レベルまで立ち下がせる段階、及び前記スキャン電極の電圧レベルを前記第５勾配と異なる第６勾配で前記第５電圧レベルから前記第６電圧レベルまで立ち下がせる段階をさらに含むようにしてもよい。
【００２８】
前記プラズマディスプレイ装置はサステイン電極をさらに含み、前記スキャン電極の電圧レベルは前記第４電圧レベルが維持された後前記第６勾配で立ち下がって、前記第４電圧レベルが維持される期間の間に正極性バイアス電圧が前記サステイン電極に供給されるようにしてもよい。
【発明の効果】
【００２９】
前述のように、 本発明のプラズマディスプレイ装置及びその駆動方法は放電の正確度を向上させることができる効果がある。
【００３０】
また、本発明のプラズマディスプレイ装置及びその駆動方法は駆動条件を最適化させることができる効果がある。
【発明を実施するための最良の形態】
【００３１】
以下では本発明に係る具体的な実施形態を添付された図面を参照して説明する。
【００３２】
図１は本発明の一つの実施形態に係るプラズマディスプレイ装置を示す。図１に示すように、本発明に係るプラズマディスプレイ装置はプラズマディスプレイパネル１００、スキャン駆動部１２１、データ駆動部１２２、サステイン駆動部１２３、コントロール部１２４、及び駆動電圧発生部１２５を含む。
【００３３】
プラズマディスプレイパネル１００は、上部基板（図示せず）と下部基板（図示せず）が一定な間隔を置いて合着される。上部基板にはスキャン電極（Ｙ１乃至Ｙｎ）及びサステイン電極（Ｚ）が形成されて、下部基板にはスキャン電極（Ｙ１乃至Ｙｎ）及びサステイン電極（Ｚ）と交差されるようにデータ電極（Ｘ１乃至Ｘｍ）が形成される。
【００３４】
スキャン駆動部１２１は、コントロール部１２４の制御の下にリセット期間の間放電セルの壁電荷状態を初期化するためのリセットパルスをスキャン電極（Ｙ１乃至Ｙｎ）に供給する。リセットパルスはセットアップパルス（ＰＲ）とセットダウンパルスを含む。
【００３５】
図１のスキャン駆動部１２１はセットアップパルス（ＰＲ）とセットダウンパルスの勾配を調節して放電を最適化させる。
【００３６】
スキャン駆動部１２１は、アドレス期間の間、コントロール部１２４の制御の下にスキャン電圧（−Ｖｙ）に相当する最低電圧レベルを有するスキャンパルスをスキャン電極（Ｙ１乃至Ｙｎ）に順に供給する。スキャン駆動部１２１はスキャンパルスが供給されないスキャン電極（Ｙ１乃至Ｙｎ）にスキャン基準電圧（Ｖｓｃ）を供給する。
【００３７】
スキャン駆動部１２１は、コントロール部１２４の制御の下にサステイン期間の間にサステインパルスを供給することで、アドレス期間に選択された放電セルでサステイン放電を発生させる。
【００３８】
データ駆動部１２２は、アドレス期間にサステイン放電が起きる放電セルを選択するためのデータパルスをデータ電極（Ｘ１乃至Ｘｍ）に供給する。
【００３９】
サステイン駆動部１２３は、コントロール部１２４の制御の下にアドレス期間の間サステインバイアス電圧（Ｖｚ）をサステイン電極（Ｚ）に供給する。サステイン駆動部１２３はサステインバイアス電圧（Ｖｚ）の供給タイミングを調節することができる。サステインバイアス電圧（Ｖｚ）の供給タイミングは図８を参照して詳しく説明する。
【００４０】
また、サステイン駆動部１２３は、サステイン期間の間スキャン駆動部１２１が供給するサステインパルスに交互するサステインパルス（Ｖｓ）をサステイン電極（Ｚ）に供給する。
【００４１】
コントロール部１２４は、垂直/水平同期信号とクロック信号の入力を受けて、リセット期間、アドレス期間、サステイン期間で各駆動部（１２２、１２３、１２４）の動作タイミングと同期化を制御するためのタイミング制御信号（ＣＴＲＸ、ＣＴＲＹ、ＣＴＲＺ）を発生させ、タイミング制御信号（ＣＴＲＸ、ＣＴＲＹ、ＣＴＲＺ）を駆動部（１２２、１２３、１２４）に供給する。
【００４２】
駆動電圧発生部１２５は、セットアップパルス（ＰＲ）を形成するためのセットアップ電圧（Ｖｓｅｔｕｐ）、スキャン基準電圧（Ｖｓｃ）、スキャン電圧（−Ｖｙ）、サステインパルスの最高電圧レベルに相当するサステイン電圧（Ｖｓ）、データパルスの最高電圧レベルに相当するデータ電圧（Ｖａ）を発生する。
【００４３】
図２は本発明の一つの実施形態に係るプラズマディスプレイ装置の駆動波形を示す。
【００４４】
スキャン駆動部１２１は、リセット期間（ＲＰ）のセットアップ期間（ＳＵ）にスキャン電極（Ｙ）にセットアップパルス（ＰＲ）を供給する。このセットアップパルス（ＰＲ）によって全画面のセル内には微弱な放電が起きて放電セル内に壁電荷が生成される。
【００４５】
スキャン駆動部１２１は、リセット期間に第１勾配で第１電圧レベル（Ｖｓｔ）まで漸進的に上昇し、第１勾配より小さな第２勾配に第１電圧レベル（Ｖｓｔ）から第２電圧レベル（Ｖｓｅｔ１）まで上昇し、第２勾配と異なる第３勾配に第２電圧レベル（Ｖｓｅｔ１）から第３電圧レベル（Ｖｓｅｔ２）まで上昇するセットアップパルス（ＰＲ）を、スキャン電極（Ｙ）に供給する。
【００４６】
図２に示す駆動波形に対する具体的な実施形態は、図３以下で詳しく説明する。
【００４７】
スキャン駆動部１２１は、セットダウン期間（ＳＤ）にセットダウンパルス（ＮＲ）をスキャン電極（Ｙ）に供給する。セットダウンパルス（ＮＲ）は放電セル内に微弱な消去放電を起こすことで放電セルの壁電荷を均一にさせる。
【００４８】
スキャン駆動部１２１は、第４勾配で第４電圧レベルまで漸進的に立ち下がり、第４勾配の大きさより小さな第５勾配で第４電圧レベルから第５電圧レベルまで立ち下がり、
第５勾配と異なる第６勾配で第５電圧レベルから第６電圧レベルまで立ち下がるセットダウンパルスを、供給することができる。このパルスに対する具体的な実施形態は図４Ａ及び図４Ｂを参照して以下で詳しく説明する。
【００４９】
スキャン駆動部１２１及びデータ駆動部１２２は、アドレス期間（ＡＰ）にスキャンパルス（ＳＣＮＰ）をスキャン電極（Ｙ）に供給して、データ電極（Ｘ）にデータパルス（ＤＰ）を供給する。スキャンパルス（ＳＣＮＰ）とデータパルス（ＤＰ）による電圧差とリセット期間（ＲＰ）に生成された壁電圧とによって、データパルス（ＤＰ）が供給されるセル内にはアドレス放電が発生する。
【００５０】
サステイン駆動部１２３は、サステイン電極（Ｚ）にバイアス電圧（Ｖｚｂ）を供給してスキャン電極（Ｙ）とサステイン電極（Ｚ）の間に放電が起きないようにする。
【００５１】
スキャン駆動部１２１及びサステイン駆動部１２３は、サステイン期間（ＳＰ）にスキャン電極（Ｙ）とサステイン電極（Ｚ）に交互的にサステインパルス（ＳＵＳＰ）を供給することでサステイン放電を起こす。
【００５２】
図３は図２のリセットパルスを示す。図３に示すように、スキャン駆動部１２１は、スキャン電極で第１勾配、第２勾配及び第３勾配を有するセットアップパルス（ＰＲ）を供給する。
【００５３】
セットアップパルス（ＰＲ）の供給のために、スキャン電極（Ｙ）の電圧レベルは、第１勾配で第１電圧レベル（Ｖｓｔ）まで上昇した後、第１電圧レベル（Ｖｓｔ）から第１勾配より小さな第２勾配で第２電圧レベル（Ｖｓｅｔ１）まで上昇し、さらに、第２勾配より小さな第３勾配で第３電圧レベル（Ｖｓｅｔ２）まで上昇する。第１電圧レベル（Ｖｓｔ）は図２のサステインパルス（ＳＵＳＰ）の最高電圧レベルと実質的に同じであることがある。
【００５４】
第１勾配、第２勾配及び第３勾配を有するセットアップパルス（ＰＲ）は、放電条件を最適化させることができる。例えば、第１区間（ｔ１）の間に第１勾配を有するセットアップパルス（ＰＲ）は、スキャン電極（Ｙ）の電圧を漸進的に変化させることでピーキング電流などを防止することができるため、効果的な放電を発生させることができる。
【００５５】
また、セットアップパルス（ＰＲ）の勾配を調節することで壁電荷制御が容易になる。これによって誤放電が防止されることができる。また、放電特性によってセットアップパルス（ＰＲ）の勾配が調節されることで多様な駆動条件に合うセットアップパルス（ＰＲ）の供給ができる。
【００５６】
図４Ａは本発明の第１実施形態に係るプラズマディスプレイ装置のスキャン駆動部を示し、図４Ｂは図４Ａのスキャン駆動部の駆動波形及びスイッチタイミングを示す図である。
【００５７】
図４Ａのスキャン駆動部１２１は電圧部４１０、第１電圧供給部（Ｖｓｔ）、セットアップ勾配制御部４２０、セットダウン勾配制御部４３０、及びスキャンドライバー４４０を含む。
【００５８】
電圧部４１０はグラウンドレベルの電圧（ＧＮＤ）またはサステイン電圧（Ｖｓ）を供給する。 本発明の実施形態では電圧部４１０がサステイン電圧（Ｖｓ）を供給しているが、 サステイン電圧（Ｖｓ）ではない他の電圧を供給することもできる。
【００５９】
第１電圧供給部（Ｖｓｔ）は第１電圧レベルの電圧を供給する。
【００６０】
セットアップ勾配制御部４２０は、電圧部４１０と第１電圧供給部（Ｖｓｔ）に接続され、第１スイッチ（Ｑｓｕ１）、第２スイッチ（Ｑｓｕ２）、第１及び第２可変抵抗（ＶＲ１、ＶＲ２） 及びキャパシター（Ｃｐ）を含み、第１電圧レベルの電圧（Ｖｓｔ）及びサステイン電圧（Ｖｓ）を供給受けて第１勾配、第２勾配及び第３勾配を有する前記セットアップパルスをスキャン電極（Ｙ）に供給する。
【００６１】
第１スイッチ（Ｑｓｕ１）と第２スイッチ（Ｑｓｕ２）はお互いに並列に接続される。第１可変抵抗（ＶＲ１）は第１スイッチ（Ｑｓｕ１）に接続されて、第２可変抵抗（ＶＲ２）は第２スイッチ（Ｑｓｕ２）に接続される。キャパシター（Ｃｐ）は第１スイッチ（Ｑｓｕ１）と第２スイッチ（Ｑｓｕ２）の共通端と接続される一端と、電圧部４１０と接続される他端を含む。
【００６２】
図４Ｂに示すように、リセット期間の第１区間（ｔ１）で電圧部４１０はグラウンドレベルの電圧（ＧＮＤ）を供給して、スイッチＱ１はターンオフされる。また、セットアップ勾配制御部４２０の第１スイッチ（Ｑｓｕ１）と第２スイッチ（Ｑｓｕ２）がターンオンされて、スイッチＱ２及びスキャンドライバー４４０のスイッチＱｂがターンオンされる。
【００６３】
これによって、セットアップ電圧供給部（Ｖｓｔ）と電圧部４１０と接続されたキャパシター（Ｃｐ）には第１電圧レベルの電圧（Ｖｓｔ）が充電され、ターンオンされた第１スイッチ（Ｑｓｕ１）と第２スイッチ（Ｑｓｕ２）を通じて第１電圧レベルの電圧（Ｖｓｔ）がスキャン電極（Ｙ）に供給される。第１スイッチ（Ｑｓｕ１）と第２スイッチ（Ｑｓｕ２）はアクティブ領域で動作するので、スキャン電極（Ｙ）の電圧レベルは第１勾配で第１電圧レベル（Ｖｓｔ）まで漸進的に上昇する。第１勾配の大きさは第１スイッチ（Ｑｓｕ１）と第２スイッチ（Ｑｓｕ２）に接続された第１及び第２可変抵抗（ＶＲ１、ＶＲ２）によって制御される。
【００６４】
第１スイッチ（Ｑｓｕ１）と第２スイッチ（Ｑｓｕ２）が同時にターンオンされれば、電流経路の増加によって線抵抗が減少するのでスキャン電極（Ｙ）の電圧は早く第１電圧レベルの電圧（Ｖｓｔ）まで上昇する。
【００６５】
リセット期間の第２区間（ｔ２）で電圧部４１０はサステイン電圧（Ｖｓ）を供給し、スイッチＱ１はターンオフ状態を維持する。また、セットアップ勾配制御部４２０の第１スイッチ（Ｑｓｕ１）はターンオン状態を維持し、第２スイッチ（Ｑｓｕ２）はターンオフされる。スイッチＱ２及びスキャンドライバー４４０のスイッチＱｂはターンオン状態を維持する。
【００６６】
キャパシター（Ｃｐ）に第１区間（ｔ１）の間、第１電圧レベルの電圧（Ｖｓｔ）が充電されているので、第２区間（ｔ２）の間電圧部４１０がキャパシター（Ｃｐ）の一端（ｔｅｒ１）にサステイン電圧（Ｖｓ）を供給し、キャパシター（Ｃｐ）の他端（ｔｅｒ２）の電圧は第１電圧レベルの電圧（Ｖｓｔ）とサステイン電圧（Ｖｓ）の和の電圧になる。
【００６７】
キャパシター（Ｃｐ）の他端（ｔｅｒ２）の電圧は、第１スイッチ（Ｑｓｕ１）、スイッチＱ２ 及びスイッチＱｂを通じてスキャン電極（Ｙ）に供給される。これによって、スキャン電極（Ｙ）の電圧は、第２勾配で第１電圧レベルの電圧（Ｖｓｔ）から第２電圧レベルの電圧（Ｖｓｅｔ１）まで漸進的に上昇する。第２勾配の大きさは第１勾配の大きさより小さい。前に説明したように、第１区間（ｔ１）の間には第１スイッチ（Ｑｓｕ１）と第２スイッチ（Ｑｓｕ２）がターンオンして、第２区間（ｔ２）の間には第１スイッチ（Ｑｓｕ１）だけターンオンするので、線抵抗が小さな第１区間（ｔ１）の間に形成される第１勾配の大きさが第２勾配の大きさより大きくなる。
【００６８】
第２勾配は第１スイッチ（Ｑｓｕ１）の第１可変抵抗（ＶＲ１）によって調節される。
【００６９】
以後、リセット期間の第３区間（ｔ３）で、電圧部４１０はサステイン電圧（Ｖｓ）を供給してスイッチＱ１はターンオフ状態を維持する。また、セットアップ勾配制御部４２０の第１スイッチ（Ｑｓｕ１）はターンオフされ、第２スイッチ（Ｑｓｕ２）はターンオンされる。スイッチＱ２及びスキャンドライバー４４０のスイッチＱｂはターンオン状態を維持する。
【００７０】
キャパシター（Ｃｐ）の他端（ｔｅｒ２）の電圧は、第１電圧レベルの電圧（Ｖｓｔ）とサステイン電圧（Ｖｓ）の和の電圧であるので、第３区間（ｔ３）の間、スキャン電極（Ｙ）の電圧は第２電圧レベルの電圧から第３電圧レベルの電圧まで第３勾配で上昇する。第３勾配の大きさは第２スイッチ（Ｑｓｕ２）に接続された第２可変抵抗（ＶＲ２）によって調節される。
【００７１】
第１可変抵抗（ＶＲ１）の大きさは第２可変抵抗（ＶＲ２）の大きさと異なるようにしてもよい。これによって第１勾配、第２勾配及び第３勾配の大きさを多様に調節することができる。
【００７２】
図２及び図３では一つの勾配を有するセットダウンパルスが示されたが、複数個の勾配を有するセットダウンパルスについて、図４Ａ及び図４Ｂを参照して詳しく説明する。
【００７３】
図４Ａに示すように、スキャン駆動部１２１は第２電圧供給部（−Ｖｙ） 及びセットダウン勾配制御部４３０を含む。
【００７４】
第２電圧供給部（−Ｖｙ）はスキャン電圧を供給する。
【００７５】
セットダウン勾配制御部４３０は、第４勾配で第４電圧レベルまで漸進的に立ち下がり、第４勾配の大きさより小さな第５勾配で第４電圧レベルから第５電圧レベルまで立ち下がり、第５勾配と異なる第６勾配で第５電圧レベルから第６電圧レベルまで立ち下がるセットダウンパルスをスキャン電極（Ｙ）に供給する。すなわち、セットダウン勾配制御部４３０は、第２電圧供給部（−Ｖｙ）からスキャン電圧を供給受けて第４勾配、第５勾配及び第６勾配を有するセットダウンパルスをスキャン電極（Ｙ）に供給する。
【００７６】
セットダウン勾配制御部４３０は、第３スイッチ（Ｑｓｄ３）、第４スイッチ（Ｑｓｄ４）、 第３可変抵抗（ＶＲ３）及び第４可変抵抗（ＶＲ４）を含む。第３スイッチ（Ｑｓｄ３）及び第４スイッチ（Ｑｓｄ４）の一端は第２電圧供給部（−Ｖｙ）と接続される。第３可変抵抗（ＶＲ３）は第３スイッチ（Ｑｓｄ３）に接続されて、第４可変抵抗（ＶＲ４）は第４スイッチ（Ｑｓｄ４）に接続される。
【００７７】
リセット期間のセットアップパルス（ＰＲ）が供給された後、図４Ｂに示すように、セットダウンパルス（ＰＤ）は、第３電圧レベル（Ｖｓｅｔ２）からサステイン電圧（Ｖｓ）レベルまで垂直立ち下がった後、セットダウン区間の第４区間（ｔ４）から第４勾配で第４電圧レベルまで立ち下がる。第４電圧レベルはグラウンドレベルの電圧であってもよい。
【００７８】
セットダウン区間の第４区間（ｔ４）の間、第３スイッチ（Ｑｓｄ３）及び第４スイッチ（Ｑｓｄ４）がターンオンされて、スキャンドライバー４４０のスイッチＱｂがターンオンされる。第３スイッチ（Ｑｓｄ３）及び第４スイッチ（Ｑｓｄ４）はアクティブ領域で動作するので、スキャン電極（Ｙ）の電圧レベルは第４勾配で第４電圧レベルまで立ち下がる。第４勾配は、第３スイッチ（Ｑｓｄ３）及び第４スイッチ（Ｑｓｄ４）に接続された第３可変抵抗（ＶＲ３）及び第４可変抵抗（ＶＲ４）によって調節される。
【００７９】
セットダウン期間の第５区間（ｔ５）で、第３スイッチ（Ｑｓｄ３）はターンオン状態を維持して、第４スイッチ（Ｑｓｄ４）がターンオフされて、スキャンドライバー４４０のスイッチＱｂがターンオン状態を維持する。これによってスキャン電極（Ｙ）の電圧レベルは、第５勾配で第５電圧レベル（Ｖｓｄ５）まで立ち下がる。第５勾配の大きさは第４勾配の大きさより小さい。第４区間（ｔ４）の間、第３スイッチ（Ｑｓｄ３）及び第４スイッチ（Ｑｓｄ４）がターンオンされると電流パスが増加し、第５区間（ｔ５）の間第３スイッチ（Ｑｓｄ３）だけターンオンされると電流パスが減少するからである。第５勾配は、第３スイッチ（Ｑｓｄ３）の第３可変抵抗（ＶＲ３）によって調節されることができる。
【００８０】
セットダウン期間の第６区間（ｔ６）で、第３スイッチ（Ｑｓｄ３）はターンオフされて、第４スイッチ（Ｑｓｄ４）がターンオンされて、スキャンドライバー４４０のスイッチＱｂがターンオン状態を維持する。これによってスキャン電極（Ｙ）の電圧レベルは、第６勾配で第６電圧レベル（Ｖｓｄ６）まで立ち下がる。第６勾配は、第４スイッチ（Ｑｓｄ４）の第４可変抵抗（ＶＲ４）によって調節されることができる。第６電圧レベル（Ｖｓｄ６）はスキャン電圧（−Ｖｙ）のレベルであってもよい。
【００８１】
セットダウンパルス（ＰＤ）が複数個の勾配を有するのでプラズマディスプレイパネルの放電条件に最適化されることができる。
【００８２】
スイッチＱ５は、アドレス期間に図２のスキャンバイアス電圧（Ｖｓｃ）を供給するためのものである。スイッチＱ６は、アドレス期間に図２のスキャンパルス（ＳＣＮＰ）を供給するためのものである。スイッチＱ２は、第４区間（ｔ４）乃至第６区間（ｔ６）の間ターンオフされる。
【００８３】
セットダウンパルス（ＰＤ）も弟４勾配の大きさが第５勾配の大きさより大きいので、セットダウン時間を短縮させることができる。すなわち、セットダウンパルスによる弱放電はセットダウン期間の後半期なので、第４区間（ｔ４）の間セットダウンパルス（ＰＤ）の勾配が大きければセットダウン時間が短縮される。
【００８４】
また、これに対応してセットダウン期間の初期においてスキャン電極に供給されるセットダウンパルスの勾配を急峻にすると誤放電が発生しやすいので、サステイン電極に供給される正極性バイアス電圧の供給時点を調節して誤放電を防止することができる。例えば、セットダウンパルスが立ち下がった所定の時点で第１電圧レベルを維持し、その期間に正極性バイアス電圧が供給されることができるようにし、スキャン電極とサステイン電極の電位差を調節して誤放電を防止することができる。
【００８５】
図５Ａは本発明の第２実施形態に係るプラズマディスプレイ装置のスキャン駆動部を示す。図５Ｂは図５Ａのスキャン駆動部の駆動波形及びスイッチタイミングを示す。
【００８６】
図５Ａのセットアップ勾配制御部４２０’は、電圧部４１０と接続される第１スイッチ（Ｑｓｕ１）、第１スイッチ（Ｑｓｕ１）に接続される第１可変抵抗（ＶＲ１）、第１電圧レベルの電圧（Ｖｓｔ）を供給受ける第２スイッチ（Ｑｓｕ２）、第２スイッチ（Ｑｓｕ２）に接続される第２可変抵抗（ＶＲ２）、及び第２スイッチ（Ｑｓｕ２）の一端及び電圧部４１０に接続されるキャパシター（Ｃｐ）を含む。
【００８７】
図５Ｂに示すように、リセット期間の第１区間（ｔ１）で電圧部４１０は、フローティング状態になって、スイッチＱ１及びＱ２はターンオンされる。また、セットアップ勾配制御部４２０’の第１スイッチ（Ｑｓｕ１）と第２スイッチ（Ｑｓｕ２）がターンオンされて、スイッチＱ２及びスキャンドライバー４４０のスイッチＱｂがターンオンされる。
【００８８】
ターンオンされた第１スイッチ（Ｑｓｕ１）と第２スイッチ（Ｑｓｕ２）を通じて、第１電圧レベルの電圧（Ｖｓｅｔ１’）がスキャン電極（Ｙ）に供給される。第１スイッチ（Ｑｓｕ１）と第２スイッチ（Ｑｓｕ２）はアクティブ領域で動作するのでスキャン電極（Ｙ）の電圧レベルは第１勾配で第１電圧レベル（Ｖｓｅｔ１’）まで漸進的に上昇する。第１勾配の大きさは第１スイッチ（Ｑｓｕ１）と第２スイッチ（Ｑｓｕ２）に接続された第１及び第２可変抵抗（ＶＲ１、ＶＲ２）によって制御される。
【００８９】
第１スイッチ（Ｑｓｕ１）と第２スイッチ（Ｑｓｕ２）が同時にターンオンされると、電流パスが増加するので、スキャン電極（Ｙ）の電圧は早く第１電圧レベルの電圧（Ｖｓｅｔ１’）まで上昇する。
【００９０】
第２区間（ｔ２）で電圧部４１０はフローティング状態を維持して、スイッチＱ１、Ｑ２及びＱｂはターンオン状態を維持する。第１スイッチ（Ｑｓｕ１）はターンオン状態を維持し、第２スイッチ（Ｑｓｕ２）はターンオフされる。これによってスキャン電極（Ｙ）の電圧レベルは、第２勾配で第２電圧レベルまで上昇する。第２電圧レベルはサステイン電圧のレベル（Ｖｓ）である。第２区間（ｔ２）で電流パスが減少するので第２勾配の大きさは第１勾配の大きさより小さい。
【００９１】
第３区間（ｔ３）で電圧部４１０はサステイン電圧（Ｖｓ）を供給して、スイッチＱ１、Ｑ２及びＱｂはターンオン状態を維持する。第１スイッチ（Ｑｓｕ１）はターンオフされ、第２スイッチ（Ｑｓｕ２）はターンオンされる。これによってキャパシター（Ｃｐ）の一端（ｔｅｒ１）にサステイン電圧（Ｖｓ）が供給され、キャパシター（Ｃｐ）の他端（ｔｅｒ２）の電圧はセットアップ電圧供給部が供給する電圧（Ｖｓｔ）とサステイン電圧（Ｖｓ）との和の電圧になる。これによってスキャン電極（Ｙ）の電圧は第３勾配で第３電圧レベル（Ｖｓｔ＋Ｖｓ）まで上昇する。
【００９２】
第２可変抵抗（ＶＲ２）の大きさと第３可変抵抗（ＶＲ３）の大きさが異ならせることで、第２勾配と第３勾配とを異ならせることができる。
【００９３】
セットダウン勾配制御部４３０’は、第３スイッチ（Ｑｓｄ３）、第４スイッチ（Ｑｓｄ４）、第３可変抵抗（ＶＲ３）及び第４可変抵抗（ＶＲ４）を含む。第３スイッチ（Ｑｓｄ３）の一端は基底電圧供給部（ＧＮＤ）と接続され、第４スイッチ（Ｑｓｄ４）の一端は第２電圧供給部（−Ｖｙ）と接続される。第３可変抵抗（ＶＲ３）は第３スイッチ（Ｑｓｄ３）に接続されて、第４可変抵抗（ＶＲ４）は第４スイッチ（Ｑｓｄ４）に接続される。
【００９４】
図５Ｂの第４区間（ｔ４）の間、第３スイッチ（Ｑｓｄ３）、第４スイッチ（Ｑｓｄ４）がターンオンされて、スイッチＱ２及びＱｂがターンオンされる。これによってスキャン電極（Ｙ）の電圧レベルは第４電圧レベル（Ｖｓｄ４）まで漸進的に立ち下がる。
【００９５】
図５Ｂの第５区間（ｔ５）の間、第３スイッチ（Ｑｓｄ３）はターンオン状態を維持して、第４スイッチ（Ｑｓｄ４）がターンオフされる。スイッチＱ２及びＱｂがターンオン状態を維持する。これによってスキャン電極（Ｙ）の電圧レベルは、第５勾配に第５電圧レベル（Ｖｓｄ５）まで漸進的に立ち下がる。第５電圧レベル（Ｖｓｄ５）はグラウンドレベル（ＧＮＤ）である。第５区間（ｔ５）の間電流パスが減少するため、第５勾配の大きさは第４勾配の大きさより小さい。
【００９６】
図５Ｂの第６区間（ｔ６）の間、第３スイッチ（Ｑｓｄ３）はターンオフされて、第４スイッチ（Ｑｓｄ４）がターンオンされる。スイッチＱ２はターンオフされてＱｂがターンオン状態を維持する。これによってスキャン電極（Ｙ）の電圧レベルは、第６勾配で第６電圧レベル（Ｖｓｄ６）まで漸進的に立ち下がる。第６電圧レベル（Ｖｓｄ６）はスキャン電圧（−Ｖｙ）のレベルと実質的に同じである。第３可変抵抗（ＶＲ３）及び第４可変抵抗（ＶＲ４）の大きさが異ならせることで第５勾配の大きさと第６勾配の大きさを異ならせることができる。
【００９７】
図６Ａは図５Ａのスキャン駆動部の駆動波形の他の例を示す。
第４区間（ｔ４）の間、図５Ａの第３スイッチ（Ｑｓｄ３）及び第４スイッチ（Ｑｓｄ３）が同時にターンオンされる。スキャン電極（Ｙ）の電圧レベルのグラウンドレベルになると、第５区間（ｔ５）の間第３スイッチ（Ｑｓｄ３）がターンオン状態を維持し、第４スイッチ（Ｑｓｄ３）がターンオフされる。第６区間（ｔ６）の間、第３スイッチ（Ｑｓｄ３）がターンオフされ、第４スイッチ（Ｑｓｄ３）がターンオンされる。第６区間（ｔ６）の第６勾配の大きさは第４区間（ｔ４）の第４勾配の大きさより小さい。
【００９８】
また、図１のサステイン駆動部１２３は、第５区間（ｔ５）の間正極性バイアス電圧（Ｖｚｂ）をサステイン電極（Ｚ）に供給する。正極性バイアス電圧（Ｖｚｂ）のレベルはサステイン電圧（Ｖｓ）のレベルと実質的に同一である。
【００９９】
セットダウンパルス（ＰＤ）の第４勾配の大きさが第５勾配の大きさより大きい場合に誤放電が発生し得る点を考慮し、正極性バイアス電圧（Ｖｚｂ）の供給時点を調節することで誤放電を防止することができる。例えば、スキャン電極（Ｙ）の電圧レベルが第５区間（ｔ５）で維持される間に正極性バイアス電圧（Ｖｚｂ）が供給されることでスキャン電極（Ｙ）とサステイン電極（Ｚ）の電位差が調節され、誤放電が防止される。
【０１００】
図６Ｂは図５Ａのスキャン駆動部の駆動波形の他の例を示す。図６Ｂに示すように、図１のサステイン駆動部１２３は、第５区間（ｔ５）の間、特定電圧レベル（Ｖｚ）を有する正極性バイアス電圧（Ｖｚｂ）を供給することができる。特定電圧レベル（Ｖｚ）はサステイン電圧（Ｖｓ）より小さくてもよい。
【０１０１】
以上説明したように、サステイン駆動部１２３は正極性バイアス電圧（Ｖｚｂ）のレベルを調節して放電条件を最適化させることができる。
【図面の簡単な説明】
【０１０２】
【図１】本発明の一つの実施形態に係るプラズマディスプレイ装置を示す図。
【図２】本発明の一つの実施形態に係るプラズマディスプレイ装置の駆動波形を示す図。
【図３】図２のリセットパルスを示す図。
【図４Ａ】本発明の第１実施形態に係るプラズマディスプレイ装置のスキャン駆動部を示す図。
【図４Ｂ】図４Ａのスキャン駆動部の駆動波形及びスイッチタイミングを示す図。
【図５Ａ】本発明の第２実施形態に係るプラズマディスプレイ装置のスキャン駆動部を示す図。
【図５Ｂ】図５Ａのスキャン駆動部の駆動波形及びスイッチタイミングを示す図。
【図６Ａ】図５Ａのスキャン駆動部の駆動波形の他の例を示す図。
【図６Ｂ】図５Ａのスキャン駆動部の駆動波形の他の例を示す図。
【図１】
2008026906.tif 000003
【図２】
2008026906.tif 000004
【図３】
2008026906.tif 000005
【図４Ａ】
2008026906.tif 000006
【図４Ｂ】
2008026906.tif 000007
【図５Ａ】
2008026906.tif 000008
【図５Ｂ】
2008026906.tif 000009
【図６Ａ】
2008026906.tif 000010
【図６Ｂ】
2008026906.tif 000011